(57)【要約】【課題】  温度の影響を抑えた画像の投影を行うことができる電子機器を提供する。【解決手段】  灰色領域を含む画像を投影画像として投影する投影部４８と、前記灰色領域の輝度値を参照輝度値として記憶する記憶部４２と、前記投影部による投影開始から所定時間経過した後に、前記投影画像の中の少なくとも前記灰色領域を撮像して撮像データを取得する撮像部４０と、前記撮像データに基づき、前記撮像された前記灰色領域の輝度値を取得する輝度値取得部３２と、前記記憶部に記憶された前記参照輝度値と、前記撮像データから取得された前記灰色領域の輝度値とを比較する比較部５０と、前記比較部による比較結果に基づいて、前記投影部により投影される画像の画像データに対して輝度の調整を行う画像処理部４４とを備える。【選択図】  図３
2010243567.tif 000002
【特許請求の範囲】
【請求項１】
灰色領域を含む画像を投影画像として投影する投影部と、
前記灰色領域の輝度値を参照輝度値として記憶する記憶部と、
前記投影部による投影開始から所定時間経過した後に、前記投影画像の中の少なくとも前記灰色領域を撮像して撮像データを取得する撮像部と、
前記撮像データに基づき、前記撮像された前記灰色領域の輝度値を取得する輝度値取得部と、
前記記憶部に記憶された前記参照輝度値と、前記撮像データから取得された前記灰色領域の輝度値とを比較する比較部と、
前記比較部による比較結果に基づいて、前記投影部により投影される画像の画像データに対して輝度の調整を行う画像処理部と
を備えることを特徴とする電子機器。
【請求項２】
前記画像処理部は、ガンマ特性データの補正を用いて前記画像データの輝度の調整を行うことを特徴とする請求項１記載の電子機器。
【請求項３】
前記画像処理部は、前記投影部により投影される画像の画像データに対して、色データを構成する各色の明度の調整を行うことを特徴とする請求項１又は２記載の電子機器。
【請求項４】
前記比較部は、色データを構成する各色の明度に基づいて、前記記憶部に記憶された参照輝度値と、前記撮像データから取得された前記輝度値とを比較することを特徴とする請求項１〜３記載の電子機器。
【請求項５】
前記画像処理部は、前記記憶部に記憶された前記参照輝度値を構成する色データの各色の明度が、前記撮像データから取得された前記輝度値を構成する色データの各色の明度と同一又は近似するように、前記画像データの色データの各色の明度の調整を行うことを特徴とする請求項４記載の電子機器。
【請求項６】
前記撮像データから取得された前記部分領域の輝度値が所定の値以下になった場合には、前記投影部による画像の投影を中止することを特徴とする請求項１〜５の何れか一項に記載の電子機器。
【請求項７】
前記画像データにおける前記部分領域の位置は、所定の時間毎に変更されることを特徴とする請求項１〜６の何れか一項に記載の電子機器。
【請求項８】
前記記憶部に記憶される前記参照輝度値は、前記投影手段による投影開始から前記所定時間が経過する前に、前記撮像手段により撮像された撮像データに基づく前記灰色領域の輝度値であることを特徴とする請求項１〜７の何れか一項に記載の電子機器。
【発明の詳細な説明】
【技術分野】
【０００１】
本発明は、プロジェクタを備えた電子機器に関するものである。
【背景技術】
【０００２】
投射された画像の輝度の低下を補う映像投射装置が知られている。（例えば、特許文献１参照）。この映像投射装置においては、ライトバルブユニットの温度を温度センサで検出し、検出結果に応じて映像信号処理装置により投影される画像の輝度の低下を補っている。
【先行技術文献】
【特許文献】
【０００３】
【特許文献１】特開平４−３１９９３０号公報
【発明の概要】
【発明が解決しようとする課題】
【０００４】
しかし、この映像投射装置においては、ライトバルブユニットの温度を検出するための温度センサを設ける必要がある。
【０００５】
本発明の目的は、温度センサを用いることなく温度の影響を抑えた画像の投影を行うことができる電子機器を提供することである。
【課題を解決するための手段】
【０００６】
本発明の電子機器は、灰色領域を含む画像を投影画像として投影する投影部と、前記灰色領域の輝度値を参照輝度値として記憶する記憶部と、前記投影部による投影開始から所定時間経過した後に、前記投影画像の中の少なくとも前記灰色領域を撮像して撮像データを取得する撮像部と、前記撮像データに基づき、前記撮像された前記灰色領域の輝度値を取得する輝度値取得部と、前記記憶部に記憶された前記参照輝度値と、前記撮像データから取得された前記灰色領域の輝度値とを比較する比較部と、前記比較部による比較結果に基づいて、前記投影部により投影される画像の画像データに対して輝度の調整を行う画像処理部とを備えることを特徴とする。
【発明の効果】
【０００７】
本発明の電子機器によれば、温度の影響を抑えた画像の投影を行うことができる。
【図面の簡単な説明】
【０００８】
【図１】本発明の実施の形態に係るカメラの前面を示す斜視図である。
【図２】本発明の実施の形態に係るカメラの背面を示す図である。
【図３】本発明の実施の形態に係るカメラのシステム構成を示すブロック図である。
【図４】本発明の実施の形態に係るカメラの投影処理を示すフローチャートである。
【図５】本発明の実施の形態に係る投影画像を示す図である。
【発明を実施するための形態】
【０００９】
以下、図面を参照して本発明の実施の形態に係る電子機器についてプロジェクタを備えたカメラを例に説明する。図１は、実施の形態に係るカメラの前面を示す斜視図である。カメラ２はプロジェクタを備えるデジタルカメラであって、カメラ２の筐体４はアルミニウム等の金属やプラスチックからなる前カバー６及び後カバー８で構成されている。前カバー６には、被写体光を入射させる撮影窓１０、画像を投影するプロジェクタ投影窓１２、被写体を照射する光を射出するフラッシュ窓１４が設けられている。また、筐体４の上面には、電源スイッチ１６、レリーズ指示を行うレリーズボタン１８、プロジェクタにより投影される画像のピント合わせを行うためのフォーカスレバー２０が設けられている。
【００１０】
図２は、実施の形態に係るカメラの背面を示す図である。後カバー８には、撮像画像や投影画像を表示するＬＣＤ表示部２２、カメラ撮影を行う撮影モードとプロジェクタ投影を行うプロジェクタモードとを切り換える切換ボタン２４、投影する画像を選択するマルチセレクタ２６、投影の開始を指示する再生ボタン２８、投影の終了を指示する停止ボタン３０が設けられている。
【００１１】
図３は、実施の形態に係るカメラのシステム構成を示すブロック図である。カメラ２はＣＰＵ３２を備え、ＣＰＵ３２には、操作部３４、ＬＣＤ表示部２２の表示制御を行う表示制御部３６、図示しない撮影レンズ、シャッタの駆動制御を行う撮影制御部３８、撮影レンズを介した被写体を撮像して撮像信号（蓄積電荷としてのアナログ信号）を生成するＣＣＤ或いはＣＭＯＳ等により構成される撮像素子４０、撮像素子４０から出力された撮像信号を図示しないＡ／Ｄ変換部においてＡ／Ｄ変換することにより生成された画像データ及び画像データに含まれている灰色領域であるアイコン画像の輝度値（参照輝度値）を記憶する記憶部４２、撮像素子４０から出力される撮像信号に基づく画像データに、ホワイトバランス調整、輪郭補償、ガンマ補正等の画像処理を行う画像処理部４４、灰色のアイコン画像のデータ（例えば、（Ｒ，Ｇ，Ｂ）＝（１２８，１２８，１２８）の色データを有する画像データ）やアイコンの投影画像中における表示位置を記憶するアイコン記憶部４５、撮像画像、投影画像、種々のデータを記憶するメモリカード４６、メモリカード４６に記憶された画像と共にアイコン記憶部４５に記憶されている灰色のアイコン画像を投影画像として投影する投影部４８、記憶部４２に記憶されている参照輝度値と再度撮像されたアイコン画像の輝度値とを比較し同一であるか否か又は近似するか否かを判別する比較部５０が接続されている。
【００１２】
ここで、操作部３４は、電源スイッチ１６、レリーズボタン１８、フォーカスレバー２０、切換ボタン２４、マルチセレクタ２６、再生ボタン２８、停止ボタン３０等を含み、投影部４８は、光源であるＬＥＤ５６の点灯及び消灯を行う電源制御部５８、投影する画像を表示するＬＣＯＳ６０の表示制御を行う投影制御部６２を備えている。
【００１３】
次に、図４に示すフローチャートを参照して実施の形態に係るプロジェクタを備えるカメラの投影処理について説明する。本実施の形態においては、撮影モードにおいて被写体の撮像またはＬＣＤ表示部２２における撮像画像の再生等の動作中に切換ボタン２４が操作されるとプロジェクタモードに切り換えられ、電源制御部５８によりＬＥＤ５６を点灯させる。そして、ユーザがＬＣＤ表示部２２及びマルチセレクタ２６を用いて選択した画像をメモリカード４６から読み出し、投影制御部６２よりＬＣＯＳ６０に表示すると共に、アイコン記憶部４５に記憶されている灰色のアイコン画像をＬＣＯＳ６０の所定の位置に表示することにより、図５に示すように投影面に対して灰色のアイコン画像６６を含む画像を投影画像６４として投影する（ステップＳ１０）。なお、アイコン画像を含む画像の投影にあたっては、ユーザに選択された画像とアイコン画像とを合成した重畳画像を画像処理装部４４で作成し、当該重畳画像を投影画像として投影してもよい。
【００１４】
撮影制御部３８は、投影面に投影された灰色のアイコン画像６６のみを撮像素子４０により撮像するために、アイコン記憶部４５により記憶されているアイコン画像の表示位置に基づいて図示しない撮影レンズを駆動する（ステップＳ１１）。そして、投影面に投影されている灰色のアイコン画像６６を撮像素子４０により撮像し（ステップＳ１２）、撮像されたアイコン画像の輝度値を参照輝度値として記憶部４２に記憶する（ステップＳ１３）。ここで、参照輝度値は投影部４８による投影開始から所定時間が経過する前に撮像素子４０により撮像された撮像データに基づくアイコン画像データの輝度値である。
【００１５】
次に、投影画像６４の中のアイコン画像６６を投影開始から所定時間経過した後に、再度撮像素子４０により撮像し（ステップＳ１４）、この撮像データに基づきアイコンの輝度値を取得して記憶部４２に記憶する（ステップＳ１５）。次に比較部５０により記憶部４２に記憶されている参照輝度値とステップＳ１５で取得した輝度値とを比較し（ステップＳ１６）、参照輝度値とステップＳ１５で取得した輝度値が同一か否かの判別を行う。（ステップＳ１７）。
【００１６】
そして、ステップＳ１７において同一と判断された場合には、比較部５０による比較結果が異なるまで、ステップＳ１４〜Ｓ１７の処理を繰り返す。ステップＳ１７において異なると判別された場合には、ステップＳ１５で取得した輝度値が参照輝度値よりも明るいか否かを比較部５０により判別する（ステップＳ１８）。ステップＳ１４で撮像したアイコン画像の方が明るいと判別された場合、投影部４８により投影されるアイコン画像の輝度が参照輝度値と同一となるように、または近づくように、画像処理部４４によりガンマ特性データを全体的に下げる補正を行うことにより、投影画像６４の輝度値の調整を行う（ステップＳ１９）。一方、ステップＳ１４で撮像したアイコン画像の方が暗いと判別された場合、投影部４８により投影されるアイコン画像の輝度が参照輝度値と同一となるように、または近づくように、画像処理部４４によりガンマ特性データを全体的に上げる補正を行うことにより、投影画像６４の輝度値の調整を行う（ステップＳ２０）。そして、補正されたガンマ特性データに対応した輝度で投影画像６４の投影を行う（ステップＳ２１）。
【００１７】
次に、ユーザにより投影の終了を指示する停止ボタン３０が押されたか否かの判断を行い（ステップＳ２２）、停止ボタン３０が操作されない場合には、ステップＳ１４〜Ｓ２２の処理を繰り返す。停止ボタン３０が押されると、最後に撮像したアイコンの輝度データを記憶部４２に記憶する（ステップＳ２３）。
【００１８】
なお、上記ステップＳ１６、１７において、比較部５０により、ステップＳ１５で取得した輝度値と参照輝度値とが同一であるか否かを判別するようにしたが、この限りでない。例えば、比較部５０で、ステップＳ１５で取得した輝度値と参照輝度値とが近似するか否かを判別するようにしてもよい。この場合、予め参照輝度値に対して所定のしきい値を設定しておき、ステップＳ１５で取得した輝度値と、所定のしきい値とを比較すればよい。しきい値の例として、参照輝度値を中心値とした上値及び下値を決めておき、ステップＳ１５で取得した輝度値が、上値と下値との範囲内にあるか否かを判別する。ステップＳ１７において上値と下値との範囲内にあると判断された場合には、比較部５０による比較結果が所定の範囲内にないと判断されるまで、ステップＳ１４〜Ｓ１７の処理を繰り返す。ステップＳ１７において所定の範囲内にないと判別された場合には、ステップＳ１８において、ステップＳ１５で取得した輝度値が所定の上値を超えればステップＳ１９へ進み、また、ステップＳ１５で取得した輝度値が所定の下値よりも低い場合はステップＳ２０へ進み、投影画像６４の輝度値の調整を行う。
【００１９】
本実施の形態に係るカメラによれば、投影された画像に含まれる灰色のアイコン画像の輝度に応じて、投影画像の輝度の補正を行うため、温度センサを用いることなく最適な輝度で画像の投影を行うことができる。
【００２０】
なお、上述の実施の形態においては、投影開始から所定時間が経過する前に撮像した灰色のアイコン画像の輝度値（参照輝度値）に基づいて、投影画像の輝度の調整を行っているが、投影前に予め記憶部４２に記憶しておいた灰色のアイコン画像データの輝度値を参照輝度値として使用してもよい。このような構成にすれば、例えば、カメラの電源をオフにした後、本体の熱が放熱される所定時間を経過する前に再度投影を行う場合は、電源をオフにした際に記憶した最後に撮像したアイコン画像の輝度値を参照輝度値として、投影画像の輝度を調整できる。そのため、再投影時にあっては、前回の投影時での投影画像の明るさや色と比較して違和感の無い投影が可能となる。また、上述の実施の形態においては、参照輝度値と再度撮像したアイコン画像の輝度値とが同一でないと判別された場合、ガンマ特性データを全体的に変更する補正を行うが、中間色の輝度値を白色、黒色に比較して大きく変更するようにガンマ特性データの補正を行ってもよい。
【００２１】
また、上述の実施の形態において、参照輝度値として、灰色に関する色データの（Ｒ，Ｇ，Ｂ）の各色の明度を記憶しておき、再度撮像したアイコン画像の色データの（Ｒ，Ｇ，Ｂ）の各色の明度について各色の明度毎に比較を行い、この比較結果に基づいて、各色の明度の調整を行うようにしてもよい。この場合には、参照輝度値を構成する灰色の色データの（Ｒ，Ｇ，Ｂ）の各色の明度が再度撮像されたアイコン画像の撮像データから取得された輝度値を構成する色データの（Ｒ，Ｇ，Ｂ）の各色の明度と同一となるように、または近似するように画像処理部４４により投影する画像データの色データの（Ｒ，Ｇ，Ｂ）の各色の明度の調整を行うことが好ましい。色データの（Ｒ，Ｇ，Ｂ）の各色の明度が同一である灰色のアイコン画像を利用して、色データの（Ｒ，Ｇ，Ｂ）の各色の明度の比較、すなわち色度変化の検出を行えば、投影画像の明るさ及び色の変化を同時に補正することが可能となる。なお、光源の温度変化に起因する投影画像の色の変化のみを補正する場合は、アイコン画像の撮像データから取得された輝度値を構成する色データの（Ｒ，Ｇ，Ｂ）の各色の明度が同一の値となるように調整する。また、上述の実施の形態においては、灰色のアイコン画像のデータについて灰色の色データ（Ｒ，Ｇ，Ｂ）＝（１２８，１２８，１２８）を用いているが、これ以外の灰色の色データを用いてもよい。例えば、濃い灰色の色データ（Ｒ，Ｇ，Ｂ）＝（１９２，１９２，１９２）を用いてもよいし、薄い色の灰色の色データ（Ｒ，Ｇ，Ｂ）＝（６４，６４，６４）を用いてもよい。明るさの変化や色度の変化を高感度に検出するには、各色の明度は、１２８を中心とする上下３０％の範囲内で設定するのが好ましい。なお、色の明度は、上記のように０〜２５５までの２５６個の数字で表現してもよいし、またパーセンテージで表現してもよい。また、上述の実施の形態においては、投影面に投影される灰色のアイコン画像６６の位置は投影画像６４の左下としているが、この位置と異なる任意の位置、例えば、左上や右上、右下などでもよい。
【００２２】
また、上述の実施の形態においては、灰色のアイコン画像６６は常時投影画像６４の同じ位置に投影されているが、焼付き防止のため一定時間毎、例えば、投影画像の切りかえ毎にアイコンの位置を異なる位置に移動させてもよい。
【００２３】
また、上述の実施の形態において、投影面に投影された灰色のアイコン画像６６の輝度値が、投影画像の輝度を補正できる範囲を超える値になったとき、自動的に投影を中止してもよい。
【００２４】
また、上述の実施の形態においては、撮影レンズを駆動させて、ズームすることにより灰色のアイコン画像６６のみを撮像しているが、アイコン記憶部４５により灰色のアイコン画像６６が表示される位置は記憶されているため、灰色のアイコン画像６６が含まれる投影画像の全体を撮像し、撮像された画像の中にある灰色のアイコン画像を切り出し、その画像の輝度値を参照輝度値として記憶部４２に記憶してもよい。
【００２５】
また、上述の実施の形態においては、投影画像における灰色領域として灰色のアイコン画像を利用したが、ユーザにより選択された画像中に灰色領域が存在するときは、アイコン画像に替えて、当該画像中の灰色領域を利用してもよい。この場合は、画像抽出に関する周知の手法を利用して、選択された画像における灰色領域を特定するように構成する。
【００２６】
また、上述の実施の形態においては、色の表現法としてＲＧＢ系を用いて説明したが、ＣＹＭＫ系であってもよい。
【産業上の利用可能性】
【００２７】
本発明は、プロジェクタを備えるデジタルカメラに利用することができる。
【符号の説明】
【００２８】
２…カメラ、１０…撮影窓、１２…プロジェクタ投影窓、２４…切換ボタン、４０…撮像素子、４２…記憶部、４４…画像処理部、４８…投影部、５０…比較部、５６…ＬＥＤ、６０…ＬＣＯＳ、６２…投影処理部、６４…投影画像、６６…アイコン画像。
【図１】
2010243567.tif 000003
【図２】
2010243567.tif 000004
【図３】
2010243567.tif 000005
【図４】
2010243567.tif 000006
【図５】
2010243567.tif 000007